(57)【特許請求の範囲】
【請求項１】
基軸（１４）が突設された基板（１１）と、下向き開口部（２４）をもち前記基軸（１４）に遊嵌可能な基軸孔（２３）が穿設された保持片（２１）と該保持片（２１）から延設され端部に作動軸孔（２６）が穿設された駆動片（２２）とを有する係合部（２）と、基部（３１）と上部切り欠をもった先端部（３２）と該基部（３１）の一方側面に連続する水平及び傾斜直線の組合わせで略Ｋ字形の外周線に沿った軌跡の溝カム（３５、３５′）が形成された出入部材の一対（３Ｌ、３Ｒ）を該溝カム側を向合わせ中央部に前記係合部（２）の厚さより僅かに広幅の空隙部（Ｇ）を有する出入部（３）と、一方が密閉し他方が開口し開口側上下面にスリット（４２、４２）が穿設された筒状体（４１）のホルダー（４）と、前記筒状体（４１）底面に装着された弾性材（５）と、両端部が前記溝カム（３５、３５′）を摺動し中部が前記作動軸孔（２６）に回動可能な作動軸（６）と、開閉する戸端部に付設される可動部（７）とを備え、前記作動軸孔（２６）に前記作動軸（６）を挿通した前記係合部（２）を前記出入部（３）で挟着し前記溝カム（３５、３５′）に該作動軸（６）を装着して前記ホルダー（４）に緩挿し、前記基軸（１４）に基軸孔（２３）を緩挿し、前記ホルダー（４）を固着した前記基板（１１）を前記戸周辺部に固着し、前記出入部（３）先端部に対する前記可動部（７）の押圧に連動して前記作動軸（６）を前記溝カム（３５、３５′）に沿って一定方向に移動し前記基軸（１４）を支点とし前記保持片（２１）を上下可能としたことを特徴とする戸開閉用着脱装置。
【請求項２】
溝カム（３５、３５′）の軌跡が下部待機点ｅ→上向き斜め勾配直線部ｔ１→上部中間点ｆ→直線部ｔ２→上部保持点ｇ→下向き斜め勾配直線部ｔ３→中部中間点ｈ→下向き斜め勾配直線部ｔ４→下部解除点ｉ→直線部ｔ５→下部待機点ｅの経路で連続するサイクルとして形成されていることを特徴とする請求項１に記載の戸開閉用着脱装置。
【請求項３】
作動軸（６）を中央部の大径部（６１ｃ）と両端部の小径部（６１ａ、６１ｂ）が同軸で連設され、一方の小径部（６１ｂ）の軸芯に穿設された円筒状孔に中央部寄りにばね（６２）が挿入され該ばね（６２）の外先端側にピン（６３）が挿入され、一方の溝カム（３５）に前記一方の小径部（６１ａ）を装着し、他方の溝カム（３５′）に前記ピン（６３）を装着したことを特徴とする請求項１又は２に記載の戸開閉用着脱装置。
【請求項４】
イ）  出入部材（３Ｌ）は、基部（３１）の一端側面より係合部（２）の厚さ（ｗ）の１／２より僅かに大きく張出して形成された突合わせ部（３６）と溝カム（３５）を有し、先端部（３２）の他端側面より前記突合わせ部（３６）と同じだけ張出して形成された突合わせ部（３７）と、前記突合わせ部（３６）端部側面には板状の係止片（３６ａ）が突設され、前記突合わせ部（３７）に向けて先端部（３２）側面より貫通孔（３７ａ）が穿設され、
ロ）  出入部材（３Ｒ）は、前記出入部材（３Ｌ）の前記係止片（３６ａ）に代えて該係止片（３６ａ）が嵌着可能な溝部（３６ｂ）が刻設され、溝カム（３５′）を有し、貫通孔（３７ａ）に代えて短孔（３７ｂ）が設けられた他は該出入部材（３Ｌ）と対称形とされていることを特徴とする請求項１〜３のいずれかに記載の戸開閉用着脱装置。
【請求項５】
係合部（２）の保持片（２１）先端部をリング状に形成し、可動部（７）を筒状体又は棒状体とし前記保持片（２１）のリング状先端部が着脱可能とされていることを特徴とする請求項１〜４のいずれかに記載の戸開閉用着脱装置。
【発明の詳細な説明】
【０００１】
【発明の属する技術分野】
本発明は、引戸、開き戸等における戸の開閉に用いられる着脱装置の改良に関する。
【０００２】
【従来の技術】
移動可能な引戸、開き戸等において、戸を全開又は前閉に保持した状態から、逆に閉鎖又は開放状態に移すための戸開閉用着脱装置として、戸縁部を押圧するローラーや板バネを周壁部に設けたり、磁石を戸縁部と周壁部に設け相互の吸着力を利用したりしていた。
【０００３】
【発明が解決しようとする課題】
従来のローラーや板バネによる押圧では、戸が重量のある場合において勢いをつけて操作すると反動によって全開又は前閉に保持した状態を維持困難となりやすく、磁石の吸着力だけの場合は保持力が不足するという課題があった。又引戸において戸を収納部に納める構造の場合に、保持状態を解除するのに手を掛ける把手が必要で、この把手の分だけ開口部を狭くしなければならないという課題を有していた。
これに対して、本発明では、重量のある戸においても周辺部に向けて押込むという単純動作だけで戸を全開又は前閉に保持又は解除でき、保持状態を強固に維持可能なコンパクトな構造の戸開閉用着脱装置（以下単に着脱装置と略称する）を得ることを目的とする。
【０００４】
【課題を解決するための手段】
前記目的を達成するために、請求項１の発明にあっては、基軸（１４）が突設された基板（１１）と、下向き開口部（２４）をもち前記基軸（１４）に遊嵌可能な基軸孔（２３）が穿設された保持片（２１）と該保持片（２１）から延設され端部に作動軸孔（２６）が穿設された駆動片（２２）とを有する係合部（２）と、基部（３１）と上部切り欠をもった先端部（３２）と該基部（３１）の一方側面に連続する水平及び傾斜直線の組合わせで略Ｋ字形の外周線に沿った軌跡の溝カム（３５、３５′）が形成された出入部材の一対（３Ｌ、３Ｒ）を該溝カム側を向合わせ中央部に前記係合部（２）の厚さより僅かに広幅の空隙部（Ｇ）を有する出入部（３）と、一方が密閉し他方が開口し開口側上下面にスリット（４２、４２）が穿設された筒状体（４１）のホルダー（４）と、前記筒状体（４１）底面に装着された弾性材（５）と、両端部が前記溝カム（３５、３５′）を摺動し中部が前記作動軸孔（２６）に回動可能な作動軸（６）と、開閉する戸端部に付設される可動部（７）とを備え、前記作動軸孔（２６）に前記作動軸（６）を挿通した前記係合部（２）を前記出入部（３）で挟着し前記溝カム（３５、３５′）に該作動軸（６）を装着して前記ホルダー（４）に緩挿し、前記基軸（１４）に基軸孔（２３）を緩挿し、前記ホルダー（４）を固着した前記基板（１１）を前記戸周辺部に固着し、前記出入部（３）先端部に対する前記可動部（７）の押圧に連動して前記作動軸（６）を前記溝カム（３５、３５′）に沿って一定方向に移動し前記基軸（１４）を支点とし前記保持片（２１）を上下可能とした戸開閉用着脱装置により解決した。
請求項２の発明にあっては、溝カム（３５、３５′）の軌跡が下部待機点ｅ→上向き斜め勾配直線部ｔ１→上部中間点ｆ→直線部ｔ２→上部保持点ｇ→下向き斜め勾配直線部ｔ３→中部中間点ｈ→下向き斜め勾配直線部ｔ４→下部解除点ｉ→直線部ｔ５→下部待機点ｅの経路で連続するサイクルとして形成されている請求項１に記載の戸開閉用着脱装置とするのが好ましい。
請求項３の発明にあっては、作動軸（６）を中央部の大径部（６１ｃ）と両端部の小径部（６１ａ、６１ｂ）が同軸で連設され、一方の小径部（６１ｂ）の軸芯に穿設された円筒状孔に中央部寄りにばね（６２）が挿入され該ばね（６２）の外先端側にピン（６３）が挿入され、一方の溝カム（３５）に前記一方の小径部（６１ａ）を装着し、他方の溝カム（３５′）に前記ピン（６３）を装着した請求項１又は２に記載の戸開閉用着脱装置とするのが好ましい。
請求項４の発明にあっては、イ）  出入部材（３Ｌ）は、基部（３１）の一端側面より係合部（２）の厚さ（ｗ）の１／２より僅かに大きく張出して形成された突合わせ部（３６）と溝カム（３５）を有し、先端部（３２）の他端側面より前記突合わせ部（３６）と同じだけ張出して形成された突合わせ部（３７）と、前記突合わせ部（３６）端部側面には板状の係止片（３６ａ）が突設され、前記突合わせ部（３７）に向けて先端部（３２）側面より貫通孔（３７ａ）が穿設され、
ロ）  出入部材（３Ｒ）は、前記出入部材（３Ｌ）の前記係止片（３６ａ）に代えて該係止片（３６ａ）が嵌着可能な溝部（３６ｂ）が刻設され、溝カム（３５′）を有し、貫通孔（３７ａ）に代えて短孔（３７ｂ）が設けられた他は該出入部材（３Ｌ）と対称形とされている請求項１〜３のいずれかに記載の戸開閉用着脱装置とするのが好ましい。
請求項５の発明にあっては、係合部（２）の保持片（２１）先端部をリング状に形成し、可動部（７）を筒状体又は棒状体とし前記保持片（２１）のリング状先端部が着脱可能とされている請求項１〜４のいずれかに記載の戸開閉用着脱装置とすることができる。
【０００５】
【発明の実施の形態】
本発明の実施の形態を図面に基づき以下詳細に説明する。
図１は、本発明の着脱装置を装着した引戸の一例の全開の状態を示す概略全体正面図である。
図２は、図１の着脱装置の一例を分解した構成部品の斜視図及び案内部の組立て概略平面図である。
図３乃至５は、図２の構成部品を組立てた着脱装置の一部断面の概略正面図及び移動軌跡で、変化する作動状態のサイクルを説明するためのものである。
図６は、本発明の着脱装置を装着した開き戸の一例の開閉状態を示す概略平面図である。
以下の説明において、引戸の場合には正面よりみた方（図１において手前側）を前又は表側とし反対側を後又は裏側とし、前側から後側に向かって見て戸先又は戸尻側（図１では左又は右側、図２乃至５では右又は左側）、上下として説明する。又構成要素については、使用時の状態で上下左右とし、同様のものは符号記載及び詳細説明を一部省略する。
【０００６】
図１は、本発明を戸として出入口Ａを開閉する吊戸式の重量のある引戸に実施し該引戸が左向き閉鎖方向Ｓへの締まり勝手（右向き開放方向Ｔ）の例で、引戸装置Ｘ及び着脱装置Ｙを含んでいる。
引戸装置Ｘは、通常大型で重い可動体よりなる戸９１と、戸９１の上框に取付けた戸尻側戸車９３と戸先側戸車９４と、出入口Ａの周辺上部のまぐさＢに閉鎖方向Ｓに向かって次第に下降するように左下がりに僅かに傾斜して配設されたレール９５とを有し、戸９１が戸車９３、９４を介してレール９５に回動自在に吊下し開閉可能に取付けられ、図１は戸９１が全開状態を示している。戸９１には左端部に把手９２が設けられている。このとき、後述する着脱装置Ｙの係合部２の先端部２５は下方に降下した状態にある。
戸先側戸車９４は符号記載を省略するが、その主軸を戸９１の上框左端部の戸先に取付けられた取付金具に固定し、主軸には軸受を介して回動自在に外輪体を取付け、外輪体にはレール９５に係合するレール係合溝が形成され回動自在とされている。右側戸車９３は上框右端部の戸尻側に固着され、後述する着脱装置Ｙの可動部７が右端側に付設されている以外は左側戸車９４と同様の構成である。
【０００７】
次に、図２乃至５を参照して本発明の着脱装置Ｙを詳述する。図２乃至５においては、説明の便宜上着脱装置Ｙは前記図１とは戸先又は戸尻側の向きを左右入替えて示してあり、右向き閉鎖方向Ｓへ締まり勝手（左向き開放方向Ｔ）で示されている。
着脱装置Ｙは、固定ユニットと可動ユニットとを含み、基部１、係合部２、出入部３、ホルダー４、弾性材５及び作動軸６がセットで組立てられた固定ユニットが引戸装置Ｘの周辺部例えばまぐさＢの一方端部に固着され、可動ユニットの可動部７が戸尻側戸車９３の一方端部側に付設されている。
基部１は、板状の略方形の基板１１と、基板１１の一方端縁の下方一部に垂直方向に突設され外表面に板状のゴム又はプラスチック等の緩衝材１３が固着された略方形のストッパー１２と、基板１１のストッパー１２寄りの上隅部に突設された基軸１４と、基軸１４の突設位置のストッパー１２と反対側の基板１１の上隅部の穿設されたホルダー取付け孔１６と、基板１１の下方に間隔をおいて穿設された通常一対の基部取付け孔１７、１７と、ホルダー取付け孔１６と基軸１４突設位置の間で該基軸１４寄りの位置に穿設された通常方形のフック孔１５とを有している。基軸１４は大径部１４ａと小径部１４ｂとからなり、大径部１４ａを基板１１側に、小径部１４ｂを先端側になるようにし、小径部１４ｂ先端部には細溝１４ｃが設けられスナップリングを嵌着可能としている。ここで細溝１４ｃに代えて雄ねじを設けナットを螺合可能としてもよい。
係合部２は、厚さｗの板材製の保持片２１と駆動片２２とが長手方向段違いに連結して形成されている。保持片２１は、略コ字形の下向き開口部２４と戸先側に先端部２５と、先端部２５と向合う一方辺側に穿設され基軸１４の小径部１４ｂに遊嵌可能な基軸孔２３とを有している。駆動片２２は、基軸孔２３位置から開口部２４の反対側に延設され端末部に弧状面２７をもち端部寄りに穿設された作動軸孔２６を有している。
【０００８】
出入部３は、一方［図２（ａ）において手前側、係合部２の左側］の出入部材３Ｌと他方［図２（ａ）において後側、係合部２の右側］の出入部材３Ｒの組合わせからなっている。
出入部材３Ｌは、戸尻側部分が略方形体の基部３１で、戸先側部分が基部３１と円弧面３２ａで連結された平面状の上部切り欠をもった先端部３２を有している。基部３１の前後側面は平面状で、後側面には溝カム３５が刻設され、基部３１の長手の方向Ｓに直交する戸尻側側面３３が基部３１の後側面より前記厚さｗの１／２より僅少値だけ大きく張出して突合わせ部３６が形成されている。先端部３２の長手方向Ｓに直交する戸先側側面３４が先端部３２の後側面より突合わせ部３６と同じだけ張出して突合わせ部３７が形成されている。突合わせ部３６の端部より先端勾配面をもった板状の係止片３６ａが突設され、先端部３２の前側面より突合わせ部３７に向けて貫通孔３７ａが穿設され該貫通孔３７ａの先端部３２の前側面側が広口に形成され、突合わせ部３７の戸尻側側面から方向Ｔに向かって板状の薄肉部３８が設けられている。
出入部材３Ｒは、通常出入部材３Ｌと略対称位置に略同様の構成要素が配設されており、図２（ａ）において同一符号を用い詳細説明は省略する。相違するのは、突合わせ部３６の貫通孔３７ａは貫通孔３７ａより僅かに小径で貫通せずに突合わせ部３７の前側面［図２（ａ）において係合部２の直ぐ右側］から短孔３７ｂが設けられ、出入部材３Ｌと３Ｒの組付けにおいて貫通孔３７ａから短孔３７ｂに固着具を挿通する。又突合わせ部３６は係止片３６ａを有せず出入部材３Ｌの係止片３６ａが嵌着可能な溝部３６ｂが前後通して刻設されており、カム溝の形状は前記カム溝３５同じであるが後述する通り溝幅が狭くとられた３５′とされている点である。ここで、係止片３６ａとこれに嵌着可能な溝部３６ｂ及び／又は貫通孔３７ａと短孔３７ｈは必ずしも必須ではなく、出入部材３Ｌと３Ｒを接着又は溶着等により組付けるか、戸尻側及び戸先側両方を固着具により組付けることとしてもよいが、構造、組立ての簡易化には前記した構成とするのが好ましい。出入部材３Ｌと３Ｒとの組合わせは、図２（ｂ）に示すように、各構成要素を対称位置になるように向合わせに配設し溝部３６ｂに係止片３６ａを嵌着し、貫通孔３７ａから短孔３７ｂに向けてボルト、ビス等の固着具を挿通して固着して組立てるが、そのとき出入部材３Ｌと３Ｒの間に間隔ｗより僅かに広幅の空隙部Ｇが形成され厚さｗの係合部２が摺動可能な間隔が保持される。
溝カム３５、３５′はその軌跡として図３（ｂ）に示す通り、「最も戸尻側の下部待機点ｅ→方向Ｓ上向き斜め勾配直線部ｔ１→上部中間点ｆ→方向Ｓ直線部ｔ２→上部保持点ｇ→方向Ｔ下向き斜め勾配直線部ｔ３→中部中間点ｈ→方向Ｓ下向き斜め勾配直線部ｔ４→下部解除点ｉ→方向Ｔ直線部ｔ５→下部待機点ｅ」で水平及び傾斜直線の組合わせで略Ｋ字形の外周線に沿った軌跡が連続するサイクルとして形成されている。溝カム３５、３５′の溝幅は後述する作動軸６の両端部が摺動可能な大きさとされている。尚、溝カム３５、３５′回りを一部中抜き構造としているが、この中抜きは必ずしも必要ではない。
【０００９】
ホルダー４は、戸尻側の一方が底面４４で密閉し、戸先側の他方が開口している略方形の筒状体４１と、筒状体４１の開口側上下面に開口側より穿設された略Ｕ字形のスリット４２、４２と、筒状体４１の密閉側の一方側面［図２（ａ）において後側］に張出し略Ｕ字形切込みをもった取付け板４３と、詳細図示省略するが取付け板４３と同じ側面の開口側寄りに突出する平面視において略Ｌ字形のフック４５とを有している。筒状体４１の略方形断面は、係合部２を中心にして一対の出入部材３Ｒ、３Ｌで挟込んだ状態にして組合わせて筒状体４１内面を摺動可能な大きさに選定されている。
弾性材５は、コイルばね・板ばね等のばね、油圧・空気圧等の流体圧装置等が用い得るが、ホルダー４の密閉側底面４４内にコンパクトに置ける大きさとする必要があり、コイルばね特に円錐コイルばねを用いると圧縮時の圧縮方向寸法を小さくすることができて好ましい。
作動軸６は、段付き軸６１、ばね６２及びピン６３よりなり、段付き軸６１は大径部６１ｃの左右に長小径部６１ａと短小径部６１ｂが同軸で連設され、短小径部６１ｂの軸芯に外側より円筒状孔が穿設され該円筒状孔にコイル状ばね６２が挿入され、円筒状孔のばね６２の外先端側にピン６３が挿入され、直径は長小径部６１ａの方がピン６３より大にとられている。段付き軸６１の大径部６１ｃは係合部２の作動軸孔２６に回動可能な大きさであり、長小径部６１ａは溝カム３５に及びピン６３は溝カム３５′に沿ってそれぞれ摺動可能な大きさであり、したがって溝カム３５の方が溝カム３５′より広幅にとられている。ここで、作動軸６は必ずしもばね６２及びピン６３を有する構成でなくともよいが、溝カム３５、３５′との円滑な摺動にはばね６２及びピン６３を用いるのが好ましい。可動部７は、下方に止孔７３、７３をもった板状の支持板７１に直交する当板７２を有している。この可動部７は、戸尻側戸車９３の一方端部の戸９１開放方向Ｔ側に止孔７３、７３に例えばボルト、ビス等の固着具を挿通して固着され、当板７２表面が出入部３の先端を均一に押圧可能におかれている。この可動部７の構成は、特に限定はなく出入部３の先端を均一に押圧し、係合部２の拘束、解除が可能なように移動方向に対し略垂直面を有する部材であればよい。
【００１０】
次に着脱装置Ｙの組立てについて説明する。
先ず係合部２の作動軸孔２６に作動軸６を貫通し、小径部６１ａ及びピン６３を係合部２を中心にし一対の出入部材３Ｒ、３Ｌで挟んだ状態にして小径部６１ａをカム溝３５に、ピン６３をカム溝３５′にそれぞれ摺動可能に嵌着し、弾性材５が密閉側底面４４に装着された筒状体４１の略方形断面内に係合部２と一対の出入部材３Ｒ、３Ｌとを挿着し、駆動片２２の位置とスリット４２、４２を合わせると前記した通り空隙部Ｇは係合部２が摺動可能な間隔を有しており、係合部２は上下可能な状態でセットされる。
次いで、基部１の基軸１４の小径部１４ｂに係合部２の基軸孔２３を嵌着し先端部の細溝１４ｃにスナップリングを嵌着して固定し、ホルダー４のフック４５をフック孔１５に嵌着して位置をずらし筒状体４１の内側開口部上下面が略水平となるように調整し、取付け板４３の略Ｕ字形切込みとホルダー取付け孔１６とをボルト、ビス等の固着具で固着して固定ユニットが組立てられる。係合部２は、駆動片２２が作動軸６のカム溝３５、３５′に沿う移動に連動して上又は下に移動し、これにより基軸１４を支点とし保持片２１は駆動片２２と逆に下又は上に移動可能となる。
前記固定ユニットはまぐさＢの戸尻側端部に固着され、可動ユニットの可動部７は戸尻側戸車９３の一方端部戸９１の開放方向Ｔ側に固着され戸９１の開閉と共に閉鎖方向Ｓ及びその反対の開放方向Ｔに移動し出入部３の先端を押圧可能な位置に調整される。
【００１１】
図３乃至５に基づき着脱装置Ｙの作動について説明する。
図３（ａ）は、出入口Ａに対し戸９１が閉鎖状態にある着脱装置Ｙを示している。このとき作動軸６は両端部の小径部６１ａ及びピン６３がばね６２で溝カム３５及び３５′に向け付勢されて待機点ｅにおかれ、係合部２は基軸１４を支点とし保持片２１の開口部２４上縁が戸先側方向Ｓへ上向き勾配におかれ、先端部２５は上端位置におかれており戸９１に固着された可動部７は何等妨げられることなく閉鎖方向Ｓ及び開放方向Ｔに出入り可能とされている。このとき、出入部３の戸尻側側面３３とホルダー４の底面４４の間隔Ｐ１は他の状態に比し最も広く、側面３３と底面４４間におかれた弾性材５は最も伸び切った状態で、出入部３の戸先側側面３４は方向Ｓに最も突出した状態にある。
この状態から戸９１を把手９２を握って人力により開放方向Ｔに移動して開放し戸９１の慣性で可動部７が戸先側側面３４に当接すると図３（ａ）から図４（ａ）の状態へ移行する。
以下の各態様も含んで、各構成要素の移動は、出入部３はホルダー４の内面を摺動するため水平方向に規制されており可動部７の押圧により移動し、出入部３の移動による作動軸６の移動は両端部の小径部６１ａ及びピン６３が溝カム３５及び３５′に案内されてなされ、作動軸６の移動に連動し係合部２の駆動片２２は上下しこの動きが基軸１４を支点とし保持片２１に伝えられて上下動するので開口部２４上縁の勾配が変化する。
図４（ａ）は、開放完了直前状態にある着脱装置Ｙを示している。図３（ａ）の状態から戸先側側面３４への可動部７の圧力で開放方向Ｔに出入部３が移動しこれに連動して作動軸６は待機点ｅ→直線部ｔ１→上部中間点ｆの経路を辿り、戸尻側側面３３と底面４４との間隔Ｐ２は狭くなり、弾性材５は圧縮された状態に移行し、戸先側側面３４は方向Ｔに引込み、係合部２は基軸１４を支点とし保持片２１の開口部２４上縁が戸先側方向Ｓへ上向きから下向き勾配に移動し、先端部２５は次第に降下して可動部７により戸９１の閉鎖方向Ｓへの移動ができないように妨げる。
図４（ｂ）は、開放保持状態にある着脱装置Ｙを示している。図４（ａ）の状態からさらに戸先側側面３４への可動部７の圧力で開放方向Ｔに出入部３が移動しこれに連動して作動軸６は上部中間点ｆ→直線部ｔ２→上部保持点ｇの経路を辿って停止する。このとき、戸尻側側面３３と底面４４との間隔Ｐ３は最も狭くなり、弾性材５は最も圧縮された状態で、戸先側側面３４は方向Ｔに最も引込んでおり、係合部２は基軸１４を支点とし保持片２１の開口部２４上縁が戸先側方向Ｓへ更に下向き勾配に変化し、先端部２５が更に降下し可動部７は水平方向Ｓに出入り不能の状態となり、戸９１は開放状態に保持される。
【００１２】
図５（ａ）は、閉鎖待機状態にある着脱装置Ｙを示している。図４（ｂ）の状態から戸９１の方向Ｔの慣性がなくなった状態で、弾性材５による側面３３への反発力により作動軸６は上部保持点ｇ→直線部ｔ３→中部中間点ｈに至って停止する。このとき、戸尻側側面３３と底面４４との間隔Ｐ４はＰ１＞Ｐ２＞Ｐ４＞Ｐ３の大きさにとられ、戸先側側面３４は方向Ｔに最も引込んだ図４（ｂ）の位置から僅かに方向Ｓに戻った位置にある。係合部２は基軸１４を支点とし保持片２１の開口部２４上縁が下向き勾配から略水平に変化し、開放状態に保持された戸９１は、次の閉鎖に対して待機状態におかれている。
図５（ｂ）は、閉鎖開始状態にある着脱装置Ｙを示している。図５（ａ）の状態から戸９１を一旦方向Ｔに僅かに移動するように戸先側側面３４に再度可動部７を当接するように押込むと、これに連動し作動軸６は、中部中間点ｈ→直線部ｔ４→下部解除点ｉの経路を辿り、その結果戸尻側側面３３と底面４４との間隔Ｐ５は前記Ｐ３より僅かに大きく、弾性材５は圧縮された状態にあり、係合部２は基軸１４を支点とし保持片２１の開口部２４上縁が戸先側方向Ｓへ上向き勾配に変化し、先端部２５が上端位置に上昇し、可動部７は閉鎖方向Ｓに水平移動可能な状態となる。
更に扉９１を閉鎖方向Ｓに移動し可動部７を方向Ｓに移動すると圧縮された弾性材５の反発力により出入部３が方向Ｓに移動し、これに連動して作動軸６は下部解除点ｉ→直線部ｔ５→待機点ｅの経路を辿って停止し、前記図３（ａ）の待機状態へ復元する。このとき係合部２の開口部２４上縁は戸先側方向Ｓへ上向き勾配に保持されたままで、先端部２５が上端位置におかれ可動部７は拘束が解除され戸９１は閉鎖方向Ｓに移動し閉鎖される。
前記図３（ａ）乃至図５（ｂ）において説明した作動に従い、最も戸尻側の下部待機点ｅから上部中間点ｆ、上部保持点ｇ、中部中間点ｈ及び下部解除点ｉを経て下部待機点ｅに戻るという一定方向のみで逆方向回りはしないというサイクルの繰返しによって戸９１は閉鎖と開放を繰返し円滑に行うことができる。
【００１３】
前記図１乃至図５において説明した引戸装置Ｘ及び着脱装置Ｙは、引戸が閉鎖方向Ｓへ移動し閉鎖状態のとき可動部７の拘束が解除され［図３の状態］、引戸が開放方向Ｔへ移動し開放状態のとき可動部７は拘束され［図１、４（ｂ）の状態］ている。しかし着脱装置Ｙの取付け位置及び向きを変えることにより、引戸が閉鎖方向Ｓへ移動し閉鎖状態のとき可動部７が拘束され、引戸が開放方向Ｔへ移動し開放状態のとき可動部７の拘束が解除されるようにすることもできる。
前記した係合部２と戸９１との関係においては、略コ字形の下向き開口部２４と戸先側先端部２５をもった保持片２１と当板７２をもった可動部７が用いられるが、これに代えて係合部２の先端部２５をリング状に形成し、当板７２を筒状体又は棒状体に形成して、筒状体又は棒状体にリング状先端を着脱可能とすることによって拘束又は解除可能とすることとしてもよい。
【００１４】
図６について本発明の着脱装置Ｘを引戸装置Ｙに代えて開き戸装置Ｚに用いた例を説明する。以下の説明において、開き戸の移動する軌跡の生ずる部分を正面とし（図６において上側）、正面からみて前又は表側とし反対側を後又は裏側とし、前側から後側に向かって見て左右、上下として説明する。又着脱装置Ｘの各構成要素については、取付ける開き戸により寸法が異なる場合はあるものの、構成は着脱装置Ｘと同様であり同一符号を用い詳細説明を一部省略する。
開き戸装置Ｚは、通常大型で重い可動体よりなる戸９６と、戸９６の左右に床面に垂直に立設した仕切り等の固定部材Ｃ、Ｄとを有し、一方の固定部材Ｄの手前縁部上下にヒンジ９７を取付け該ヒンジ９７よって戸９６を回動自在に軸支し閉鎖方向Ｓ′又は開放方向Ｔ′に回動可能としてある。図６（ａ）は戸９６が半開き状態のとき、図６（ｂ）は全閉状態のときを示している。
着脱装置Ｘは、固定ユニットとしてはヒンジ９７の取付けられていない他方の固定部材Ｃの手前縁部上下に切込みをつけた戸収納部９８の上部後側隣接位置壁面に基板１１を固着具により固着し、係合部２の先端部２５が前側となるように取付けられている。一方可動ユニットの可動部７は、回動する戸９６のヒンジ９７の取付けられていない側の縁部上部に支持板７１を固着具により固着し、支持板７１に直交する当板７２がヒンジ９７の回動中心を中心とする円弧状の閉鎖方向Ｓ′又は開放方向Ｔ′に移動可能とされている。
前記した引戸装置Ｘでは、閉鎖方向Ｓ又は開放方向Ｔは直線状であるのに対し、開き戸装置Ｚの閉鎖方向Ｓ′又は開放方向Ｔ′は円弧状である点が異なるものの、戸９６の左右幅が着脱装置Ｘの固定ユニットと可動ユニットが相互に作動する範囲に比し可なり大きいために閉鎖方向Ｓ′又は開放方向Ｔ′も近似的に直線状と見做しても差支えない。又この場合は閉鎖状態のとき可動部７が拘束され、開放状態のとき可動部７の拘束が解除される形式である。
ここで開き戸装置Ｚに用いた着脱装置Ｙの作動は前記引戸装置Ｘの場合と同様であり詳細説明は省略する。
【００１５】
【発明の効果】
本発明の戸開閉用着脱装置によれば、コンパクトな構造にかかわらず、引戸又は開き戸いずれにおいても戸を周辺部に向けて押込むという単純動作だけで容易に戸を全開又は前閉に保持又は解除でき、保持状態を強固に維持可能で戸が重量のある場合に勢いをつけて操作しても反動によって全開又は前閉に保持した状態を維持困難となることはない。又保持状態を解除するのに把手は不必要で、この把手の分だけ開口部が狭くなることもない。
【図面の簡単な説明】
【図１】本発明の着脱装置を装着した引戸の一例の全開の状態を示す概略全体正面図である。
【図２】図１の着脱装置の一例を、（ａ）分解した構成部品の斜視図、（ｂ）案内部の組立て概略平面図である。
【図３】図２の構成部品を組立てた着脱装置の（ａ）作動状態を説明する一部断面概略正面図で、戸の閉鎖から開放への待機までの状態を示し、（ｂ）作動軸のカム溝内の移動軌跡を示す。
【図４】図２の着脱装置の作動状態を説明する一部断面概略正面図で、（ａ）戸の開放開始、（ｂ）戸の開放保持状態を示す。
【図５】図２の着脱装置の作動状態を説明する一部断面概略正面図で、（ａ）戸の閉鎖待機、（ｂ）戸の閉鎖開始状態を示す。
【図６】本発明の着脱装置を装着した開き戸の一例で、（ａ）開放時、（ｂ）閉鎖時の状態を示す概略平面図である。
【符号の説明】
１  基部
１１  基板
１４  基軸
１４ａ  大径部
１４ｂ  小径部
１５  フック孔
１６、１７  取付け孔
２  係合部
２１  保持片
２２  駆動片
２３  基軸孔
２４  開口部
２５  先端部
２６  作動軸孔
３  出入部
３Ｒ、３Ｌ  出入部材
３１  基部
３２  先端部
３３、３４側面
３５、３５′溝カム
３６、３７  突合せ部
３６ａ  係止片
３６ｂ  溝部
３８  薄肉部
４  ホルダー
４１  筒状体
４２  スリット
４３  切込み部
４４  底面
４５  フック
５  弾性材
６  作動軸
６１  段付き軸
６１ａ、６１ｂ  小径部
６１ｃ  大径部
６２  ばね
６３  ピン
７  可動部
９１  戸
９２  把手
９３、９４  戸車
９２  把手
９５  レール
Ａ  出入口
Ｂ  まぐさ
ｅ  待機点
ｆ、ｈ  中間点
ｇ  保持点
ｉ  解除点
Ｓ、Ｓ′  閉鎖方向
Ｔ、Ｔ′  開放方向
ｔ１〜ｔ５  直線部
ｗ  厚さ
Ｘ  引戸装置
Ｙ  着脱装置
Ｚ  開き戸装置
【図１】
0003546327.tif 000002
【図２】
0003546327.tif 000003
【図３】
0003546327.tif 000004
【図４】
0003546327.tif 000005
【図５】
0003546327.tif 000006
【図６】
0003546327.tif 000007